(57)【要約】ステープルのような綴着材を用いることなく複数の紙葉類を綴着させることが可能であり、かつ閲覧される紙葉類に対し、適切かつ容易に紙綴じ処理を行うことを可能とすることを目的とする。穿孔方向および切込み方向がハンドル側であって、窓部を介し紙綴じ処理における穿孔部分が視認可能に構成されている。したがって、閲覧される紙葉類に対し、適切かつ容易に紙綴じ処理を行うことが可能である。さらに切片によって複数の紙葉類間を綴着するので、綴着材を用いずに複数の紙葉類を綴着させることが可能である。
2011093016.tif 000002
【特許請求の範囲】
【請求項１】
重ねられた複数の紙葉類に穿孔を行うことにより該紙葉類の一部を切り離して略舌状の切片を形成しつつ、該切片の近傍に切込みを形成し、かつ該切片を該切込みに挿入させて該紙葉類を綴じる紙綴じ具であって、
ベースと、
前記ベースに立設された支持台と、
回動軸を介して前記支持台に接続され、該回動軸を中心として回動可能なハンドルと、
前記ベースから前記ハンドルへ向かって突出され、穿孔を行う一対のパンチ刃と、
前記ベースから前記ハンドルへ向かって突出され、前記切込を形成する一対の切込み刃と、
前記ハンドルの回動にともなって回動され、形成された前記切片に対し押し当たって該切片を該紙葉類の方向に折り曲げる一対の突部と、
前記ベースと前記ハンドルとの間に配置され、前記突部ならびに前記パンチ刃および前記切込み刃における突出方向の端部それぞれが通過可能な貫通孔が設けられ、前記紙葉類が載置される載置台と、
前記ハンドルと前記載置台とに挟まれた位置に配置され、前記貫通孔を通過した前記端部それぞれを収容可能であり、かつ内部において前記突部が回動可能な収容孔を有し、前記ハンドル側から少なくとも該収容孔およびその周囲を透かして前記載置台の前記貫通孔近傍を視認可能に構成され、前記載置台とともに前記紙葉類を挟持する押さえ部と、
前記ハンドルにおいて、少なくとも前記押さえ部の収容孔と重なる領域を含む部分に設けられた窓部と、
前記ハンドルの回動にともなって前記押さえ部と前記載置台との相対的位置を近接させ、さらに該押さえ部とともに該載置台を前記ベース側へ移動させる移動機構と、
を備え、
前記移動機構により前記押さえ部と前記載置台とが近接されることにより前記載置台上の前記紙葉類が挟持され、さらに該押さえ部および該載置台が該紙葉類を挟持したまま該ベース側へ移動することにより、前記パンチ刃および前記切込み刃の前記端部それぞれに該紙葉類を押し付けて、前記切片および前記切込みを形成すること、
を特徴とする紙綴じ具。
【請求項２】
前記ハンドルにおける突出方向の先端と前記回動軸との間において該回動軸と並んで設けられるとともに、前記押さえ部に当接する押圧軸をさらに備え、
前記移動機構は、前記ベースと前記載置台との対向面の一方に設けられ該載置台の移動方向に突出する支柱と、該対向面の他方に設けられ該支柱が挿通される挿通部と、該ベースまたは該載置台の間に設けられ該ベースと該載置台とを離隔させる付勢部とを有し、
前記押圧軸は、前記付勢部に対して、該付勢部の付勢方向の略延長線上に位置し、かつ前記ハンドルの回動にともなって前記押さえ部を前記ベース側へ押し下げること、
を特徴とする請求項１に記載の紙綴じ具。
【請求項３】
前記支持台は、前記ベースの両側方から立設された一対の支持板を有するとともに、該支持板は前記回動軸の軸方向における端部を支持する軸受部を有し、
前記ハンドルは前記一対の支持板に挟まれた位置に配置されるとともに、前記軸受部に対応する位置に前記回動軸を挿通させる軸穴を介して該支持板に支持されていること、
を特徴とする請求項１に記載の紙綴じ具。
【請求項４】
紙葉類を穿孔することにより一部が接続された切片を形成するパンチ刃と、
該切片を挿入可能な切込みを形成する切込み刃と、
前記パンチ刃および前記切込み刃をそれぞれが上方へ向かって突出するように支持し、かつ該パンチ刃を回動可能に支持するベースと、
前記ベースの上方に配置され、前記パンチ刃および前記切込み刃と略直交し、紙葉類が載置される載置面と、該載置面に設けられ、該パンチ刃および該切込み刃それぞれの先端が通過可能な貫通孔と、を有する載置台と、
該載置面における前記ベース側に設けられ、該載置面と該パンチ刃の基部との近接にともなって該パンチ刃に当接して該パンチ刃を回動させる回動機構と、
前記パンチ刃に設けられ、該パンチ刃の回動により前記切片を前記切込みに押し込む挿入部と、
前記載置面の上方において該載置面と略対向する位置に設けられた押さえ面と、該押さえ面において前記パンチ刃および前記切込み刃の突出方向の延長線上でありかつ前記貫通孔に対応する位置に設けられ、前記貫通孔を通過した該パンチ刃および該切込み刃の先端を収容する収容孔とを有し、該収容孔を含む少なくとも一部の領域において上方から該載置面上の紙葉類を視認可能に形成され、前記載置面へ向かって移動可能な押さえ台と、
前記ベースから少なくとも前記載置面より上方の位置まで延びる支持台と、
前記支持台により回動可能に支持され、前記ベースとともに前記押さえ台および前記載置台を挟むように配置され、前記収容孔を含む該押さえ台の少なくとも一部を上方から視認可能とする窓部が設けられたハンドルと、
を備え、
前記ハンドルの回動にともなう前記押さえ台の降下により、前記押さえ台と前記載置台とが前記紙葉類を挟持し、前記ハンドルのさらなる回動にともなう該押さえ台および該載置台の降下により、該挟持された該紙葉類に対して前記パンチ刃および前記切込み刃が前記切片および前記切込みを形成すること、
を特徴とする紙綴じ具。
【発明の詳細な説明】
【技術分野】
【０００１】
本発明は、複数枚の紙葉類に穿孔し、これらを一体に綴じることが可能な紙綴じ具に関する。特に、ステープラー等におけるステープル（ステープラーの金属製の針）や、糊材を用いることなく、紙葉類の穿孔によって形成される舌片を用いて紙葉類を綴じる技術に関する。
【背景技術】
【０００２】
一般に、複数の紙葉類を綴じる綴じ具としては、ステープラーが用いられている。ステープラーは、紙葉類を挟み押し付けることによりステープルの先端を紙葉類に貫通させ、この貫通孔に針を通して紙葉類を一体に留めつけることができる器具である。【０００３】
このステープラーは、簡易な作業で紙葉類を綴じることができる利点を有する一方、危険性やシュレッダー（せん断破砕機）を使用する際に不都合がある。すなわちステープラーは、ステープルがユーザーの指等に刺さってしまうおそれを有している。また綴じられた紙葉類からステープルを取り外す作業が煩雑である。【０００４】
また、ユーザーが紙葉類から取り外されたステープルを見失ってしまうおそれもある。さらにユーザーが誤って、ステープルがついたまま綴じられた紙葉類を、シュレッダーや複写機等のＡＤＦ（Ａｕｔｏ Ｄｏｃｕｍｅｎｔ Ｆｅｅｄｅｒ）に入れてしまうことがある。このような誤りによって、シュレッダーやＡＤＦ等の破損を招くおそれがある。【０００５】
なお、ステープルの代わりに糊を用いたステープラーも提案されている（例えば特許文献１）。しかしこのようなステープラーは、糊の補充または交換が困難であるという問題を有している。また糊によって綴じられた紙葉類間の接着強度を高めつつ、糊の塗布を円滑に行えるように構成することは困難である。【０００６】
上述のようにステープラーはさまざまな課題を有している。これに対し、ステープルや糊等のような綴着材を用いることなく、紙葉類を綴じる紙綴じ具が提案されている（例えば、特許文献２および特許文献３）。このような綴着材を用いない紙綴じ具における紙綴じ工程は、例えば次の通りである。【０００７】
このような紙綴じ具においては、まず、穴あけパンチのように、複数の紙葉類を重ねた状態でパンチ刃を押し当ててこれら紙葉類に穿孔する。ただしこの穿孔においては、穴あけパンチと異なり、紙綴じ具は穿孔部分を紙葉類から完全に切り離さない。具体的には、複数の紙葉類それぞれに対して、紙葉類の一部のみ切り抜く（特許文献２−第１図〜第３図および第６図〜第８図参照）。すなわち、紙綴じ具により穿孔された紙葉類それぞれは、紙葉類から切り離された舌片部分と、他の切り離されていない基部（舌片部分の根元部分）とに分かれる。【０００８】
さらに、このような紙綴じ具においては、穿孔動作に前後して、パンチ刃によって切り離された舌片を受け容れるための切込みを形成する（特許文献２−第２図参照）。この切込みはパンチ刃に隣接して設けられたナイフ（当該第２図符号３参照）によって形成される。これに加えて、この紙綴じ具は、パンチ刃に付属して設けられたカム（当該第２図符号５参照）によって、各紙葉類における舌片をまとめて、ナイフによって形成された切込みに押し込む。【０００９】
この紙綴じ具は、以上のようにして紙葉類を一体に綴じる。綴じられた紙葉類群には、ステープルのような綴着手段が無いので、ユーザーは紙葉類をそのままシュレッダーにかけることができる。またユーザーが紙綴じ具を使用し続けても綴着手段を補充する必要がない。
【先行技術文献】
【特許文献】
【００１０】
【特許文献１】特開２００６−５１６４８号公報
【特許文献２】特公昭４１−３２７８号公報
【特許文献３】特開昭５６−５１３８９号公報
【発明の概要】
【発明が解決しようとする課題】
【００１１】
上述のような紙綴じ具では、複数の紙葉類に対して穿孔を行って形成される舌片を利用して紙葉類を綴じる。すなわち、紙葉類の綴じ部分は、舌片を形成するために穿孔され、かつ折りたたまれるので、綴じられた後はこの綴じ部分を閲覧できない。したがって、紙綴じ具の操作者は、紙綴じ処理にあたり、例えば文字などの印刷部分が含まれない紙葉類の位置を、紙綴じ部分として選択することが必要である。【００１２】
この点、特許文献２、特許文献３に示されるような従来の紙綴じ具では、紙綴じ処理中に紙綴じ部分を確認できない。例えば、特許文献３の第２図に示されるように、紙綴じ具に挿入された紙葉類における紙綴じ部分は、紙綴じ具の穿孔部材や、カバー（当該図符号３６参照）等に覆われているので、操作者による視認は困難である。したがって、従来の紙綴じ具の操作者は、紙綴じ具の穿孔部分に紙葉類を置く前に、紙綴じ処理を行いたい部分を確認してから紙葉類を置き、おおよその見当をつけて紙綴じ処理を行う。しかし、このような作業は煩雑かつ困難である。また紙綴じ処理を正確に行えないおそれがある。【００１３】
さらに、従来の紙綴じ具による紙綴じ処理においては、紙葉類の端部等の紙綴じ部分に示された文字等の閲覧を困難にしてしまうおそれがある。特に、紙葉類の角部分や上端、下端に対して紙綴じ処理を行い、印刷日付、ページ数、発行元等の情報を確認することができなくなった場合、紙葉類の閲覧に支障をきたすおそれもある。【００１４】
この発明は、以上の問題点に鑑みてなされたものであって、その目的は、ステープルのような綴着材を用いることなく複数の紙葉類を綴着させることが可能であり、かつ閲覧される紙葉類に対して適切かつ容易に紙綴じ処理を行うことを可能とする紙綴じ具を提供することにある。
【課題を解決するための手段】
【００１５】
上記の課題を解決するために、請求項１に記載の発明は、重ねられた複数の紙葉類に穿孔を行うことにより該紙葉類の一部を切り離して略舌状の切片を形成しつつ、該切片の近傍に切込みを形成し、かつ該切片を該切込みに挿入させて該紙葉類を綴じる紙綴じ具であって、ベースと、前記ベースに立設された支持台と、回動軸を介して前記支持台に接続され、該回動軸を中心として回動可能なハンドルと、前記ベースから前記ハンドルへ向かって突出され、穿孔を行う一対のパンチ刃と、前記ベースから前記ハンドルへ向かって突出され、前記切込を形成する一対の切込み刃と、前記ハンドルの回動にともなって回動され、形成された前記切片に対し押し当たって該切片を該紙葉類の方向に折り曲げる一対の突部と、前記ベースと前記ハンドルとの間に配置され、前記突部ならびに前記パンチ刃および前記切込み刃における突出方向の端部それぞれが通過可能な貫通孔が設けられ、前記紙葉類が載置される載置台と、前記ハンドルと前記載置台とに挟まれた位置に配置され、前記貫通孔を通過した前記端部それぞれを収容可能であり、かつ内部において前記突部が回動可能な収容孔を有し、前記ハンドル側から少なくとも該収容孔およびその周囲を透かして前記載置台の前記貫通孔近傍を視認可能に構成され、前記載置台とともに前記紙葉類を挟持する押さえ部と、前記ハンドルにおいて、少なくとも前記押さえ部の収容孔と重なる領域を含む部分に設けられた窓部と、前記ハンドルの回動にともなって前記押さえ部と前記載置台との相対的位置を近接させ、さらに該押さえ部とともに該載置台を前記ベース側へ移動させる移動機構と、を備え、前記移動機構により前記押さえ部と前記載置台とが近接されることにより前記載置台上の前記紙葉類が挟持され、さらに該押さえ部および該載置台が該紙葉類を挟持したまま該ベース側へ移動することにより、前記パンチ刃および前記切込み刃の前記端部それぞれに該紙葉類を押し付けて、前記切片および前記切込みを形成すること、を特徴とする。
上記の課題を解決するために、請求項４に記載の発明は、紙葉類を穿孔することにより一部が接続された切片を形成するパンチ刃と、該切片を挿入可能な切込みを形成する切込み刃と、前記パンチ刃および前記切込み刃をそれぞれが上方へ向かって突出するように支持し、かつ該パンチ刃を回動可能に支持するベースと、前記ベースの上方に配置され、前記パンチ刃および前記切込み刃と略直交し、紙葉類が載置される載置面と、該載置面に設けられ、該パンチ刃および該切込み刃それぞれの先端が通過可能な貫通孔と、を有する載置台と、該載置面における前記ベース側に設けられ、該載置面と該パンチ刃の基部との近接にともなって該パンチ刃に当接して該パンチ刃を回動させる回動機構と、前記パンチ刃に設けられ、該パンチ刃の回動により前記切片を前記切込みに押し込む挿入部と、前記載置面の上方において該載置面と略対向する位置に設けられた押さえ面と、該押さえ面において前記パンチ刃および前記切込み刃の突出方向の延長線上でありかつ前記貫通孔に対応する位置に設けられ、前記貫通孔を通過した該パンチ刃および該切込み刃の先端を収容する収容孔とを有し、該収容孔を含む少なくとも一部の領域において上方から該載置面上の紙葉類を視認可能に形成され、前記載置面へ向かって移動可能な押さえ台と、前記ベースから少なくとも前記載置面より上方の位置まで延びる支持台と、前記支持台により回動可能に支持され、前記ベースとともに前記押さえ台および前記載置台を挟むように配置され、前記収容孔を含む該押さえ台の少なくとも一部を上から視認可能とする窓部が設けられたハンドルと、  を備え、前記ハンドルの回動にともなう前記押さえ台の降下により、前記押さえ台と前記載置台とが前記紙葉類を挟持し、前記ハンドルのさらなる回動にともなう該押さえ台および該載置台の降下により、該挟持された該紙葉類に対して前記パンチ刃および前記切込み刃が前記切片および前記切込みを形成すること、を特徴とする紙綴じ具である。
【発明の効果】
【００１６】
上記請求項１、請求項４にかかる紙綴じ具は、穿孔方向および切込み方向がハンドル側であり、紙綴じ処理における穿孔部分を窓部を介して視認できるように構成されている。したがって、閲覧される紙葉類に対し、適切かつ容易に紙綴じ処理を行うことが可能である。さらに、上記請求項１、請求項４にかかる紙綴じ具によれば、切片によって複数の紙葉類を綴着するので、綴着材を用いずに複数の紙葉類を綴着させることが可能である。
【図面の簡単な説明】
【００１７】
【図１Ａ】この実施形態にかかる紙綴じ具の外形を紙葉類の挿入口側から見た概略斜視図である。
【図１Ｂ】図１Ａの反対側から見た紙綴じ具の概略斜視図である。
【図２】この実施形態にかかる紙綴じ具における各部の構成および各部の接続関係の概要を示す概略分解斜視図である。
【図３Ａ】この実施形態にかかる紙綴じ具においてハンドルが押し下げられる前の状態の概要を示す概略上面図である。
【図３Ｂ】この実施形態にかかる紙綴じ具において、ハンドルが押し下げられた状態を示す概略上面図である。
【図４Ａ】図３ＡにおけるＡ−Ａ部分の断面の概要を示す概略Ａ−Ａ断面図である。
【図４Ｂ】図３ＢにおけるＡ´−Ａ´部分の断面であって、かつ紙綴じ具のハンドルが押し下げられた状態における、各部の状態の概要を示す概略Ａ´−Ａ´断面図である。
【図５Ａ】この実施形態にかかるハンドルの回動前の、紙綴じ具の外形および紙綴じ具の内部構造の概要を透視した概略上面図である。
【図５Ｂ】この実施形態にかかるハンドルの回動後の、紙綴じ具の外形および紙綴じ具の内部構造の概要を透視した概略上面図である。
【図６Ａ】図５ＡにおけるＢ−Ｂ部分の断面であって、ハンドルの回動前における穿孔部分および切り込み形成部分の状態を示す概略Ｂ−Ｂ断面図である。
【図６Ｂ】図５ＢにおけるＢ´−Ｂ´部分の断面であって、ハンドルの回動後の状態における穿孔部分および切り込み形成部分の状態を示す概略Ｂ´−Ｂ´断面図である。
【図６Ｃ】図５ＡにおけるＣ−Ｃ部分の断面であって、ハンドルの回動前における穿孔部分および切り込み形成部分の状態を示す概略Ｃ−Ｃ断面図である。
【図６Ｄ】図５ＢにおけるＣ´−Ｃ´部分の断面であって、穿孔部分および切り込み形成部分の状態を示す概略Ｃ´−Ｃ´断面図である。
【図７】この実施形態にかかる紙綴じ具において、ハンドルの回動前における押さえ部、載置台および前部ベースの位置関係を示す概略斜視図である。
【図８Ａ】この実施形態にかかる紙綴じ具において、ハンドルが回動する前の押さえ部、載置台および前部ベースの位置関係を示す概略右側面図である。
【図８Ｂ】この実施形態にかかる紙綴じ具において、ハンドルが回動する前の押さえ部、載置台および前部ベースの位置関係を示す概略上面図である。
【図９】この実施形態にかかる紙綴じ具において、ハンドルが回動する前の押さえ部、載置台および前部ベースの位置関係の概略を示す図８ＢのＤ−Ｄ断面図である。
【図１０】この実施形態にかかる紙綴じ具において、ハンドルが回動する前の押さえ部、載置台および前部ベースの位置関係の概略を示す図８ＢのＥ−Ｅ断面図である。
【図１１】この実施形態にかかる紙綴じ具によって紙葉類の角を綴着した状態を示す概略図である。
【図１２】この実施形態にかかる紙綴じ具において、ハンドルの回動後の状態における押さえ部、載置台および前部ベースの位置関係を示す概略斜視図である。
【図１３Ａ】この実施形態にかかる紙綴じ具において、ハンドルが回動した後の押さえ部、載置台および前部ベースの位置関係を示す概略右側面図である。
【図１３Ｂ】この実施形態にかかる紙綴じ具において、ハンドルが回動した後の押さえ部、載置台および前部ベースの位置関係を示す概略上面図である。
【図１４】この実施形態にかかる紙綴じ具において、ハンドルの回動後の状態における押さえ部、載置台および前部ベースの位置関係の概略を示す図１３ＢのＤ´−Ｄ´断面図である。
【図１５】この実施形態にかかる紙綴じ具において、ハンドルの回動後の状態における押さえ部、載置台および前部ベースの位置関係の概略を示す図１３ＢのＥ´−Ｅ´断面図である。
【図１６】この実施形態にかかる紙綴じ具における切込み刃と、穿孔によって形成された舌片との幅の差を概念的に示す概略図である。
【発明を実施するための形態】
【００１８】
以下、本実施形態の一例について図１Ａ〜図１６を参照して説明する。なお、これらの図においては、図の明瞭さの確保のため、綴じられる紙葉類の図示を省略している。
【００１９】
本実施形態にかかる紙綴じ具１００の全体構成の概略について、図１Ａ、図１Ｂおよび図２を参照して説明する。図１Ａは、紙綴じ具１００の外形を紙葉類の挿入口側から見た概略斜視図である。図１Ｂは、図１Ａの反対側から見た紙綴じ具１００の概略斜視図である。図２は、紙綴じ具１００における各部の構成および各部の接続関係の概要を示す概略分解斜視図である。紙綴じ具１００は、紙葉類の一部を紙葉類と切り離さずに残しつつ、一対のパンチ刃（１２３ｃ／図２）によって紙葉類に穿孔を行う。これによって、まず紙葉類につながったままの舌状（または方形状）の切片（以下、単に「舌片（図１１／符号Ｓ参照）」という）を形成する。また紙綴じ具１００は、穿孔を行うだけでなく一対の切込み刃（、図２等／符号１２４参照）によって、舌片Ｓそれぞれの近傍に切込みＣ（図１１参照）を入れる。その後、紙綴じ具１００は紙葉類から切り離された舌片Ｓを折り曲げ、切り込み刃を利用して当該切込みにそれぞれ押し込む。これによって、複数の紙葉類を綴じることができる。
【００２０】
紙綴じ具１００の外形の概略を説明する。図１Ａおよび図１Ｂに示すように、紙綴じ具１００は、後部ベース１０１ａと前部ベース１０１ｃとを一続きに連結し装置全体の土台（基礎）としている。また、後部ベース１０１ａと前部ベース１０１ｃとの連結部分には、後部ベース１０１ａと前部ベース１０１ｃから離れる方向（略上方）に立設された支持板１０３が設けられている。また、支持板１０３の先端側には、回動軸１１１を介してハンドル１１０が接続されている。ハンドル１１０は、支持板１０３に対し、回動軸１１１を中心として回動可能となっている。ハンドル１１０は、平板または屈曲面を有する板状である。またハンドル１１０は、ベース１０１に対して鋭角をなすように支持板１０３に接続される。また、回動軸１１１は、ベース１０１に対してほぼ平行に配置される。
【００２１】
なお、以下の記載において、後部ベース１０１ａから前部ベース１０１ｃへ向かう方向を前方（図１Ａ、図１Ｂにおける方向Ｘ３）とし、その反対方向を後方（Ｘ４）とする。さらに、この前方、後方の向きを基準として、上方（図１Ａ、図１Ｂにおける方向Ｘ１）、下方（Ｘ２）、左方、右方と記載することがある。ただし、この前後上下左右の定義は説明の便宜上用いるものであって、紙綴じ具１００の使用時の向き等を限定するものではない。
【００２２】
また、図１Ａおよび図１Ｂに示すように、後部ベース１０１ａおよび前部ベース１０１ｃとハンドル１１０との間には、ハンドル１１０側から順に、押さえ部１２０、載置台１２１が設けられている。載置台１２１は、紙綴じ具１００を用いて綴じようとする紙葉類を載置するための台である。載置台１２１は、前部ベース１０１ｃ上に設けられている。また載置台１２１は、前部ベース１０１ｃよりやや小さく形成されている。後述のように、載置台１２１は、前部ベース１０１ｃに重なる位置から、前部ベース１０１ｃにガイドされつつ、前部ベース１０１ｃの内部に嵌るように移動することができる。すなわち、載置台１２１の上面が前部ベース１０１ｃの下面に対して上下動される。
【００２３】
さらに、載置台１２１の上には押さえ部１２０が設けられている。押さえ部１２０についても、載置台１２１にガイドされつつ、前部ベース１０１ｃに対して上下動される。押さえ部１２０の上下動は、紙押さえ時には載置台１２１と独立に行われ、穿孔時には載置台１２１とともに行われる。
【００２４】
図１Ａに示すように、紙葉類は、紙綴じ具１００に対して挿入口１０４から、すなわち前から後ろに向かって（図中Ｘ４方向に）挿入される。挿入された紙葉類は、載置台１２１上に載置される。
【００２５】
各部の接続関係の概要は次の通りである。図２に示すように、紙綴じ具１００全体の基礎となる最下部において前部ベース１０１ｃ、支持板１０３、後部ベース１０１ａの順に連結されて組み合わされベース１０１が形成されている。前部ベース１０１ｃには、載置台１２１等の上下動のガイドを行う第１円筒部１０７が立設されている。さらに、第１円筒部１０７には、穿孔荷重の調整を行う第１弾性部材１０５が設けられている。さらに、前部ベース１０１ｃには、保持部１０８が設けられている。すなわち、保持部１０８には、略Ｌ字形状の舌片処理部１２３と切込み刃１２４が、その刃部（パンチ刃１２３ｃ等）を上方へ向けるようにして設けられている。さらに、舌片処理部１２３は、回動軸１２４ａを介して回動可能とされている。また、舌片処理部１２３の先端には、回動方向に突出する突部１２３ｅが設けられている。突部１２３ｅは、切込み刃１２４の係合孔１２４ｃに舌片Ｓを押し込むものである。
【００２６】
ベース１０１の上には載置台１２１が配置され、上方へ向けて立設されたベース１０１の第１円筒部１０７に対して第１ガイド孔１２１ｃを通して接続されている。第１ガイド孔１２１ｃが第１円筒部１０７に通されているため、前部ベース１０１ｃに対する載置台１２１の上下動がガイドされる。
【００２７】
載置台１２１の上には押さえ部１２０が配置される。押さえ部１２０は、下方に延設された第２ガイド支柱１２０ｇを有する。第２ガイド支柱１２０ｇは、第１ガイド孔１２１ｃを通された第１円筒部１０７の内部に通される。それにより、押さえ部１２０は、載置台１２１および前部ベース１０１ｃに接続される。載置台１２１および前部ベース１０１ｃに対する押さえ部１２０の上下動は、第２ガイド支柱１２０ｇによってガイドされる。
【００２８】
押さえ部１２０の上にはハンドル１１０が配置される。ハンドル１１０は、ハンドルフレーム１１０ｅとハンドルカバー１１０ｄを有して構成される。ハンドルカバー１１０ｄは、ハンドルフレーム１１０ｅのカバーである。ハンドルフレーム１１０ｅに回動軸１１１を通すことにより、ハンドル１１０が支持板１０３に対して回動可能に接続される。さらに、突出端１１０ａと回動軸１１１との間の位置において、ハンドルフレーム１１０ｅには押圧軸１１２が通されている。押圧軸１１２は、押さえ部１２０の係合部１２０ｈにも挿通されている。この押圧軸１１２によりハンドル１１０と押さえ部１２０とが接続される。
【００２９】
また、載置台１２１には貫通孔１２１ａが設けられている。また、押さえ部１２０には収容孔１２０ａが設けられている。これらの孔を通じて、舌片処理部１２３のパンチ刃１２３ｃや、切込み刃１２４が通される。
【００３０】
なお、支持板１０３は、この発明の「支持台」の一例に該当する。また、また、開口部１１０ｃおよび押さえ部１２０は、この発明の「窓部」の一例に該当する。また、第１弾性部材１０５は、この発明の「付勢部」の一例に該当する。また、第１ガイド孔１２１ｃは、この発明の「挿通部」の一例に該当する。また、第１円筒部１０７は、この発明の「支柱」の一例に該当する。また、回動軸挿通孔１１０ｆは、この発明の「軸穴」の一例に該当する。
【００３１】
また、舌片処理部１２３のパンチ刃１２３ｃおよび切込み刃１２４の先端の刃部は、この発明の「前記パンチ刃および前記切込み刃における立設方向の端部」の一例に該当する。また、少なくとも第１円筒部１０７、第２ガイド支柱１２０ｇおよび第１ガイド孔１２１ｃは、この発明の「移動機構」の一例に該当し、さらに「移動機構」としては、第２弾性部材１２５、第１弾性部材１０５の少なくともいずれか一方およびこれらの組み合わせを含んでもよい。さらに「移動機構」としては、係合部１２０ｈ、押さえ部ガイド１２０ｅ、第２ガイド孔１２１ｅおよび押圧軸１１２のうち、いずれか１つまたはこれらの組み合わせを含んでいてもよい。
【００３２】
（動作の概要）
次に、この実施形態にかかる紙綴じ具１００の動作の概要について、図２〜図４Ｂを参照して説明する。図３Ａは、紙綴じ具１００においてハンドル１１０が押し下げられる前の状態の概要を示す概略上面図である。図３Ｂは、紙綴じ具１００において、ハンドル１１０が押し下げられた状態を示す概略上面図である。図４Ａは、図３ＡにおけるＡ−Ａ部分の断面の概要を示す概略Ａ−Ａ断面図である。図４Ｂは、図３ＢにおけるＡ´−Ａ´部分の断面であって、かつ紙綴じ具のハンドルが押し下げられ、穿孔、舌片Ｓの折り曲げおよび、舌片Ｓの切込みＣに対する押し込みが完了した状態における、各部の状態の概要を示す概略Ａ´−Ａ´断面図である。なお、図示されていないが、以下の動作の概要においては、すでに操作者が綴じようとする紙葉類を挿入口１０４から挿入しており、紙葉類が載置台１２１上に載置されているものとする。
【００３３】
図３Ａおよび図４Ａに示すように、操作者によりハンドル１１０を押し下げる操作がなされる前においては、ハンドル１１０側に位置する押さえ部１２０は、載置台１２１に対して所定間隔を空けて離れた位置にある。ここで図３Ｂおよび図４Ｂに示すように、操作者がハンドル１１０の例えば突出端１１０ａを把持してハンドル１１０を下方に押し下げると、まずハンドル１１０が回動軸１１１を中心として回動され、ハンドル１１０の下面が、後部ベース１０１ａおよび前部ベース１０１ｃの上面側に押し下げられ、双方の面が近づく。
【００３４】
ハンドル１１０が回動されはじめると、ハンドル１１０に加えられた力は、まず押さえ部１２０の係合部１２０ｈに保持された押圧軸１１２に作用する。その結果、ハンドル１１０に保持された押圧軸１１２を介し、押さえ部１２０がハンドル１１０の回動にしたがって降下する。ここで、ハンドル１１０が押し下げられるまでは、押さえ部１２０は、載置台１２１から離れる方向、すなわち上方へ付勢されている（図４Ａ、図２／符号１２５）。したがって、ハンドル１１０が降下しはじめるときは、この付勢力に抗して押さえ部１２０が降下し、載置台１２１上の紙葉類に近づく。
【００３５】
押さえ部１２０が降下して載置台１２１上の紙葉類に当接し、さらにハンドル１１０が回動されると、押さえ部１２０は紙葉類と載置台１２１とを押し下げる。また載置台１２１についても、押さえ部１２０を介して押し下げられるまでは、前部ベース１０１ｃに対して離れる方向、すなわち上方へ付勢されている（図４Ａ・図２／符号１０５）。したがって、押さえ部１２０が載置台１２１を押し下げはじめるときは、押さえ部１２０の下面と載置台１２１の上面とが紙葉類を挟んだ状態で、この付勢力に抗して載置台１２１を押し下げる。
【００３６】
図２に示す舌片処理部１２３および切込み刃１２４は、それぞれ前部ベース１０１ｃの保持部１０８に固定されている（図６Ａ参照）。さらに、舌片処理部１２３および切込み刃１２４は、それぞれ上端側に刃部が設けられている。載置台１２１が降下すると、舌片処理部１２３および切込み刃１２４の刃部は、貫通孔１２１ａを通って載置台１２１の上面を通過する。このとき押さえ部１２０が載置台１２１上の紙葉類を押さえているので、舌片処理部１２３が紙葉類に対し穿孔を行って舌片Ｓを形成し、また切込み刃１２４が紙葉類に切込みＣを形成する。
【００３７】
図４Ｂに示すように、ハンドル１１０の突出端１１０ａが後部ベース１０１ａと接近する状態まで回動されると、舌片処理部１２３が回動される。舌片処理部１２３の突部１２３ｅは、穿孔によって形成された舌片Ｓを、切込み刃１２４の係合孔１２４ｃに押し込む。また、切込み刃１２４は、ベース１０１に戻ろうとする際、舌片Ｓを切込みＣに押し込む。紙綴じ具１００はこのような工程を経て紙綴じ処理を行う。
【００３８】
（全体構成）
次に、本実施形態にかかる紙綴じ具１００の各部の構成について、図１Ａ〜図１０を参照して説明する。図５Ａは、紙綴じ具１００においてハンドルの回動前の状態における各部の位置関係の概要を示す概略透視上面図である。この図においてハンドル１１０のハンドルカバー１１０ｄを透視して、押さえ部１２０、載置台１２１および前部ベース１０１ｃ等の内部構造についても、その一部が示されている。図５Ｂは、紙綴じ具１００においてハンドル１１０の回動後の状態における各部の位置関係の概要を示す概略透視上面図である。図６Ａは、図５ＡにおけるＢ−Ｂ部分の断面であって、ハンドル１１０の回動前における穿孔部分および切り込み形成部分の状態を示す概略Ｂ−Ｂ断面図である。図６Ｂは、図５ＢにおけるＢ´−Ｂ´部分の断面であって、ハンドル１１０の回動後の状態における穿孔部分および切り込み形成部分の状態を示す概略Ｂ´−Ｂ´断面図である。図６Ｃは、図５ＡにおけるＣ−Ｃ部分の断面であって、ハンドル１１０の回動前における穿孔部分および切り込み形成部分の状態を示す概略Ｃ−Ｃ断面図である。図６Ｄは、図５ＢにおけるＣ´−Ｃ´部分の断面であって、穿孔部分および切り込み形成部分の状態を示す概略Ｃ´−Ｃ´断面図である。図７は、ハンドル１１０の回動前における押さえ部１２０、載置台１２１および前部ベース１０１ｃの位置関係を示す概略斜視図である。図８Ａは、ハンドル１１０が回動する前の押さえ部１２０、載置台１２１および前部ベース１０１ｃの位置関係を示す概略右側面図である。図８Ｂは、ハンドル１１０が回動する前の押さえ部１２０、載置台１２１および前部ベース１０１ｃの位置関係を示す概略上面図である。図９は、ハンドル１１０が回動する前の押さえ部１２０、載置台１２１および前部ベース１０１ｃの位置関係の概略を示す図８ＢのＤ−Ｄ断面図である。図１０は、ハンドル１１０が回動する前の押さえ部１２０、載置台１２１および前部ベース１０１ｃの位置関係の概略を示す図８ＢのＥ−Ｅ断面図である。
【００３９】
〈ベースの構成〉
上述のように、紙綴じ具１００においてベースとなる構成は、後部ベース１０１ａ、前部ベース１０１ｃ、および支持板１０３である。図１Ａ、図１Ｂおよび図２に示すように、後部ベース１０１ａは、その後方側端部が曲線状となっている。後部ベース１０１ａの前方側は、支持板１０３と前部ベース１０１ｃを受け入れるように形成されている。図２に示すように、後部ベース１０１ａの前方（Ｘ３方向）側には支持板１０３が配置されている。さらに、支持板１０３が設けられた後部ベース１０１ａには、前部ベース１０１ｃが嵌め合わされて固定されている。
【００４０】
図２に示すように、支持板１０３は、ベース１０１の左右側面からそれぞれ立設された平板状の一対の側板と、これら側板のそれぞれを繋ぐ底板部分を有している。側板は、上方へ向けて立設されている。側板の先端部は、前方に向かって屈曲した略逆Ｌ字形状を有している。また、支持板１０３における側板の先端部は、回動軸１１１を介してハンドル１１０に接続されている。このような回動軸１１１との接続のために、側板それぞれの先端部には、軸受部１０３ａが設けられている。軸受部１０３ａは、回動軸１１１の軸方向における両端部を支持する。回動軸１１１は、支持板１０３により、紙綴じ具１００の底面とほぼ平行に支持される。
【００４１】
また、図２、図４Ａおよび図４Ｂに示すように、前部ベース１０１ｃ上面には、前方（Ｘ３方向）側に保持部１０８が設けられ、後方（Ｘ４方向）側に第１ガイド支柱１０６（図４Ａ参照）が設けられている。これらの間の位置には、左右に並んで一対の第１円筒部１０７が設けられている。保持部１０８は、一対の舌片処理部１２３と一対の切込み刃１２４とを、それぞれの刃部が上方を向くように保持するものである。また、保持部１０８は、舌片処理部１２３それぞれを回動軸１２４ａを介して回動可能に保持する。なお、舌片処理部１２３は、例えば舌片処理部１２３の突部１２３ｅの突出方向の延長線それぞれが交差するような位置において保持される。また、切込み刃１２４は、刃部の向きが舌片処理部１２３の突部１２３ｅの突出方向と略直交するような向きで保持される。この構成は、突部１２３ｅが切込み刃１２４の係合孔１２４ｃを通過して舌片Ｓを切込み刃１２４に押し込む動作のためである（図６Ｂ参照）。
【００４２】
第１ガイド支柱１０６は、前部ベース１０１ｃにおける前方（Ｘ３方向）側に配置されている。第１ガイド支柱１０６は、図４Ａに示すように上方に向けて立設されている。後述する載置台１２１の下保持部１２１ｇの内部を通ることができるように（図４Ｂ）、第１ガイド支柱１０６の径は、下保持部１２１ｇの内径よりも小さく形成されている。
【００４３】
図２に示すように、前部ベース１０１ｃの前後方向における、第１ガイド支柱１０６と保持部１０８との間には、上方に向けて立設された一対の第１円筒部１０７が左右に並んで配置されている。押さえ部１２０の第２ガイド支柱１２０ｇを挿通可能とするように、第１円筒部１０７の径は、第２ガイド支柱１２０ｇより大きい。さらに、載置台１２１の第１ガイド孔１２１ｃの内部を通せるように、第１円筒部１０７の径は、第１ガイド孔１２１ｃより小さく形成されている（図９参照）。第１ガイド孔１２１ｃおよび第２ガイド支柱１２０ｇとの係合関係については後述する。
【００４４】
前部ベース１０１ｃの第１円筒部１０７の周囲には、第１弾性部材１０５が巻回されている。第１弾性部材１０５は、載置台１２１の載置面の下面まで到達する高さを有している。第１弾性部材１０５の幅は、第１円筒部１０７の周囲で伸縮可能なように、第１円筒部１０７よりも広く形成される。第１弾性部材１０５としては、例えばコイルバネやゴム部材が用いられる。
【００４５】
〈ハンドルの構成〉
図２、図４Ａおよび図４Ｂに示すように、ハンドル１１０は、ハンドルカバー１１０ｄおよびハンドルフレーム１１０ｅを有している。また、図５Ａおよび図５Ｂに示すように、ハンドルフレーム１１０ｅは、天板と側板とを有している。天板は、ハンドル１１０の突出端１１０ａから回動軸１１１側までを覆うものである。側板は、天板に対して略直交し、下方へ延設され、互いに対向する。ハンドルフレーム１１０ｅの側板それぞれは、ベース１０１と支持板１０３の側板との間に挟まれた位置に配置される。側板それぞれには、支持板１０３の軸受部１０３ａに対応する位置に、回動軸１１１を通す回動軸挿通孔１１０ｆが設けられている。回動軸１１１を回動軸挿通孔１１０ｆに通し、さらに回動軸１１１を支持板１０３に通すことにより、ハンドルフレーム１１０ｅは支持板１０３に回動可能に支持される。ハンドルフレーム１１０ｅの側板には、ハンドル１１０の突出端１１０ａと回動軸１１１との間の位置に、押圧軸挿通孔１１０ｇが設けられている。押圧軸挿通孔１１０ｇに押圧軸１１２を挿通させることにより、ハンドルフレーム１１０ｅが押圧軸１１２を保持する。なお、押圧軸１１２は支持板１０３には接触しない。
【００４６】
図２に示すように、ハンドルカバー１１０ｄは、ハンドルフレーム１１０ｅよりも一回り大きく形成され、かつ支持板１０３よりも幅広に形成される。また、図１Ａおよび図１Ｂに示すように、ハンドルカバー１１０ｄは、ハンドルフレーム１１０ｅと支持板１０３とを覆うものである。
【００４７】
ここで、ハンドルフレームの側板が、ベースとなる支持板を挟む構成の紙綴じ具においては、ハンドルを押し下げるとハンドルにおけるベース側の面（下面）が支持板の上端に当接する。つまり支持板の高さがあるほど、ハンドルの回動範囲は制約を受ける。すなわち、ハンドルを下げていくと、ハンドルの下面がベースと近づく前に支持板の上端に当接する。さらにそれ以上ハンドルを押し下げようとしても、支持板の上端に妨げられて下がらなくなる。しかし、舌片Ｓを形成し、切込みＣに挿入させて紙葉類を綴じる紙綴じ具においては、紙葉類の穿孔だけでなく舌片Ｓの挿入も必要となるので、パンチ刃を含む舌片処理部の上下動の距離が穿孔パンチと比較して長くなる。すなわち、舌片処理部のストロークは確保しなければならない。したがって、このような構成においてはベースとハンドルの角度を大きくすることにより、舌片処理部のストローク長を確保することになる。しかしながら、当該角度が大きければ大きいほど紙綴じ処理の操作性は劣化する。
【００４８】
この点、本実施形態における紙綴じ具１００は、ハンドルフレーム１１０ｅが支持板１０３の間に挟まれる構成である。つまりハンドルフレーム１１０ｅが押し下げられていったときに、ハンドル１１０の下面が支持板１０３の上端に当接する事態が生じない。すなわち、ハンドルの回動範囲は支持板１０３の高さによって制約を受けない。したがって、舌片処理部１２３の上下動のストローク長を確保しつつ、紙綴じ処理の操作性を確保している。
【００４９】
また、本実施形態の構成によれば、図４Ｂに示すようにハンドル１１０の突出端１１０ａが後部ベース１０１ａに接近する。このとき、回動軸１１１近傍においてハンドルフレーム１１０ｅの上面が支持板１０３の上端位置より下がる場合がありうる。このような状態が生じた場合において、ハンドル１１０の押下げをしている操作者の手が当該回動軸１１１近傍にある場合、支持板１０３とハンドルフレーム１１０ｅの上面との高さの差が作業の妨げとなり当該押下げ作業を阻害するおそれがある。この点、本実施形態における紙綴じ具１００では、ハンドルカバー１１０ｄを設け支持板１０３ごとハンドルフレーム１１０ｅを覆っている。したがって、ハンドル１１０の押下げをしている操作者の手が当該回動軸１１１近傍にある場合でも、作業の妨げとならず、このようなハンドル１１０の押下げ作業の妨げとなる事態の発生を防止している。
【００５０】
さらに本実施形態におけるハンドルフレーム１１０ｅおよびハンドルカバー１１０ｄには、回動軸１１１側において開口部１１０ｃが設けられている。開口部１１０ｃは、少なくとも押さえ部１２０の収容孔１２０ａおよび当該収容孔１２０ａの周囲を含む領域の上方に形成される。開口部１１０ｃによって、ハンドル１１０よりベース１０１側に載置された紙葉類の記載内容、穿孔位置や紙綴じ具１００各部の状態を操作者が認識可能となる。この構成に加えて後述するように押さえ部１２０を透明とするなどの構成を採用すれば、載置台１２１に載置した紙葉類の上面を視認可能となる。また、開口部１１０ｃの形成される位置を収容孔１２０ａおよびその周囲を含む領域としたのは、収容孔１２０ａが紙葉類に対する穿孔部分となるので、操作者がその部分を視認可能とするためである。
【００５１】
なお図１Ａ、図２等に示される開口部１１０ｃは、ハンドル１１０の前方側が切り取られ略Ｕ字型となり、前方が開放されるように形成されている。しかし本発明の「窓部」としては、この実施形態に限られない。すなわち、窓部は必ずしも前方側を切り取り開放するような形状でなくてもよい。例えば図１Ａの開口部１１０ｃを一部変更し、ハンドル１１０の回動軸１１１上方部分を覆うようにしてもよい。換言すればハンドル１１０の前端側を左右に架渡すように、ハンドル１１０上面を切り欠いてもよい。このような窓部であれば、ハンドル１１０は、方形、円形や多角形等の貫通孔が形成される。
【００５２】
〈押さえ部の構成〉
押さえ部１２０は、載置台１２１上の紙葉類を押さえるとともに、載置台１２１を押下げるものである。図２、図４Ａ〜図６Ｂ、図９および図１０に示すように押さえ部１２０には収容孔１２０ａ、目視孔１２０ｃ、押さえ部ガイド１２０ｅ、第２ガイド支柱１２０ｇ、係合部１２０ｈおよび上保持部１２０ｊが設けられている。
【００５３】
図２および図５Ａに示すように押さえ部１２０は、ベース１０１側となる下面に、舌片処理部１２３のパンチ刃１２３ｃおよび突部１２３ｅをそれぞれ収容可能な収容孔１２０ａが設けられている。この収容孔１２０ａは、前部ベース１０１ｃの保持部１０８（図２参照）に保持された舌片処理部１２３の位置に対応して上方に設けられる。また、収容孔１２０ａは、突部１２３ｅを回動可能とする大きさに形成される。その上さらに収容孔１２０ａは、切込み刃１２４も通過可能な大きさとなっている。この収容孔１２０ａの位置をパンチ刃１２３ｃに合わせて調整してもよい。この位置合わせによっては収容孔１２０ａに入ってくる舌片処理部１２３のストローク動作のガイドとなる。なお、この収容孔１２０ａは必ずしも押さえ部１２０の上面まで貫通させなくてもよい。ただし、本実施形態のように収容孔１２０ａを貫通孔とすれば、操作者の穿孔部分への視認性を確保することが可能となる。
【００５４】
同じく図２および図５Ａに示すように、押さえ部１２０は下面において、穿孔部分の視認性を確保するためにから上面まで貫通された目視孔１２０ｃが設けられている。なお、本実施形態のように目視孔１２０ｃも、押さえ部１２０の上面まで貫通させない構成を採用することも可能である。ただし、操作者の穿孔部分への視認性を向上させるため、本実施形態においては目視孔１２０ｃを貫通孔としている。ハンドル１１０の開口部１１０ｃおよび目視孔１２０ｃを介して操作者は穿孔しようとする紙葉類の穿孔箇所およびその周囲の領域を視認しやすくなる。
【００５５】
また図２および図５Ａ、図５Ｂ、図７、図８Ａおよび図１０に示すように押さえ部１２０には、下面の前方において一対の押さえ部ガイド１２０ｅが左右に並べて設けられている。押さえ部ガイド１２０ｅは略柱状をなすとともにそれぞれ下方に伸び、後述する第２ガイド孔１２１ｅに挿通される。すなわち、押さえ部ガイド１２０ｅは、押さえ部１２０が載置台１２１に対して上下動するときのガイドとなるものである。この押さえ部ガイド１２０ｅによって、紙葉類の押さえ位置を正確に定めることができる。さらに押さえ部１２０と載置台１２１とによって紙葉類が挟持されたまま降下するとき、押さえ部ガイド１２０ｅは、押さえ部１２０を載置台１２１に対してずれにくくする。その結果、紙葉類を強固に固定してから穿孔することが可能となる。
【００５６】
また図２および図５Ａ、図５Ｂ、図８Ａに示すように、押さえ部１２０下面には、押さえ部ガイド１２０ｅよりやや前方において、第２ガイド支柱１２０ｇが左右に並べて設けられている。その上さらに、第２ガイド支柱１２０ｇは、前部ベース１０１ｃの第１円筒部１０７および第１ガイド孔１２１ｃに対応する位置に設けられている（図５Ａ、図５Ｂ参照）。図６Ａ、図６Ｃ、図９および図１０に示すように、この第２ガイド支柱１２０ｇは略柱状をなすとともにそれぞれ下方に伸びている。また、第２ガイド支柱は、後述する載置台１２１の第１ガイド孔１２１ｃを通された第１円筒部１０７に挿通される。すなわち、第２ガイド支柱１２０ｇは、押さえ部１２０が載置台１２１とともに前部ベース１０１ｃに対して上下動するときのガイドとなる。この第２ガイド支柱１２０ｇによって、さらに押さえ部１２０と載置台１２１とによって紙葉類が挟持されたまま降下するとき、第２ガイド支柱１２０ｇは、押さえ部１２０を前部ベース１０１ｃに対してずれにくくすることが可能となる。結果として、紙綴じ具１００による紙葉類に対する穿孔を正確に行うことができる。
【００５７】
図２、図７および図８Ａに示すように、押さえ部１２０上面には、その左右側方において上方へ立設する係合部１２０ｈが設けられている。この係合部１２０ｈには、それぞれ向かい合うように開口が形成されている。係合部１２０ｈの開口は、その内部において押圧軸１１２が前後方向に移動可能である。つまりこの開口には、ハンドルフレーム１１０ｅにも通される押圧軸１１２が挿通される。この係合部１２０ｈにより、ハンドル１１０と押さえ部１２０とが連動する。
【００５８】
後述するように、紙綴じ具によって舌片挿入が完了した後において、紙葉類を綴着させる舌片は綴じる枚数に応じた厚さを有している。この厚さを有する舌片は、載置台１２１の貫通孔１２１ａや押さえ部１２０の収容孔１２０ａに引っかかる可能性がある。さらに舌片部分が各孔に引っかかって、各穴に留まったままになることもある。このような状態が生じると、舌片に連なる紙葉類は舌片とともに、押さえ部１２０と載置台１２１の間に引っかかったまま留まる。これに対し、他方のハンドル１１０だけは第２弾性部材１２５によって付勢されて元の位置に復帰する。しかし、押さえ部１２０は引っかかった舌片により元の位置に復帰しない。紙押さえに必要な第２弾性部材１２５の付勢力は、第１弾性部材１０５の付勢力ほど強くなく、この場合の押さえ部１２０の引っ掛かりを解消するに至らないためである。
【００５９】
したがってこのような事態が生じたとき、紙葉類の引っかかりを解消し、紙綴じ具１００を元の状態に戻さなければならない。しかし、その作業は容易でない。例えば、引っかかった紙葉類を無理やり引っ張ることにより、紙葉類が解放され、押さえ部１２０を元の位置に戻すことが出来る場合もあるが、このような方法では綴じられた紙葉類が破れてしまうおそれがある。この点、本実施形態の紙綴じ具１００では、ハンドル１１０と押さえ部１２０とが係合部１２０ｈおよび押圧軸１１２を介して連結されている。。したがって、舌片挿入が完了した後、第２弾性部材１２５の付勢力で押さえ部１２０が元の位置に復帰しなかった場合でも、ハンドル１１０を手動で元に戻すことにより、連動して押さえ部１２０の位置を復帰させることが可能である。すなわち、舌片の先端部などが貫通孔１２１ａや収容孔１２０ａから出てこなくなり、押さえ部１２０が元の位置に復帰しない状態が生じても、手動により元の位置に戻すことが可能である。さらにその作業は容易である。また押さえ部１２０が元に戻らなくなったとき、ハンドル１１０を上方に回動させ舌片の先端を貫通孔１２１ａから外してから、収容孔１２０ａに引っかかった舌片を外すという作業も可能となる。したがって、綴じられた紙葉類の破損を防止することも可能となる。
【００６０】
また、図５Ａおよび図５Ｂに示すように押さえ部１２０下面には、押さえ部ガイド１２０ｅそれぞれに挟まれた位置に、第２弾性部材１２５の上端部を保持する上保持部１２０ｊ（図２、図４）が設けられている。なお、第２弾性部材１２５としては、例えばコイルバネやゴム部材が用いられる。
【００６１】
また押さえ部１２０は、全体が透明部材により構成されている。なお、全体を透明部材として構成せずに、収容孔１２０ａおよび、当該収容孔１２０ａの周囲の領域を透明部材とすることも可能である。すなわち、少なくとも載置台１２１の貫通孔１２１ａと当該貫通孔１２１ａの周囲の領域の上方が透明であれば、紙葉類に対する穿孔部分およびその周囲の状態を操作者が認識可能となる。また、必ずしも押さえ部１２０を透明部材で構成しなくてもよく、網の目状、篩状に構成して紙葉類に対する穿孔部分およびその周囲の状態を操作者が認識可能としてもよい。
【００６２】
また、本実施形態における紙綴じ具１００は、穿孔を行い舌片Ｓを形成するパンチ刃１２３ｃ、切込みＣを形成する切込み刃１２４、舌片Ｓを折り曲げる突部１２３ｅ等がすべてベース１０１側に配置されている。このような構成によれば、ハンドル１１０側の押さえ部１２０には、最低限、舌片処理部１２３、切込み刃１２４の刃部等を受け入れる収容孔１２０ａを形成すればよい。すなわち、この構成により押さえ部１２０の省スペース化が図られている。この省スペース化により、例えば押圧軸１１２と回動軸１１１との距離を近づけることができる。その結果、ハンドル１１０への手動力を効率よく伝え、穿孔荷重を低減させることが可能となる。
【００６３】
また省スペース化により、押さえ部１２０に対して回動軸１１１を前方に配置し、押さえ部１２０上面の高さより、回動軸１１１を低くすることができる。回動軸１１１の高さを低くすることによって支持板１０３の高さを抑制することが可能となる。結果として、紙綴じ具１００全体の大型化を抑制することができる。さらに紙綴じ具１００を手持ち型にする場合においては、ハンドル１１０の突出端１１０ａと、後部ベース１０１ａの後端との距離を縮めることができるので、紙綴じ作業の操作性を向上することが可能となる。
【００６４】
〈載置台の構成〉
載置台１２１は、上面を載置面として紙葉類の一端を保持して、押さえ部１２０との間に紙葉類を挟持する。載置台１２１が紙葉類を挟持したまま押下げられることにより、パンチ刃１２３ｃおよび切込み刃１２４の刃部に紙葉類が押し付けられる。この一連の動作によって穿孔および切り込みが形成される。載置台１２１には、貫通孔１２１ａ（図２、図６Ａ）、第１ガイド孔１２１ｃ（図２、図５Ａ、図５Ｂ、図９）、第２ガイド孔１２１ｅ（図２、図５Ａ、図５Ｂ）、下保持部１２１ｇ（図２、図９）およびゲージ台１２１ｊ（図２、図４Ａ、図７）が設けられている。
【００６５】
また、図２、図６Ａに示すように、載置台１２１の紙葉類の載置面においてパンチ刃１２３ｃおよび突部１２３ｅそれぞれが通過可能な貫通孔１２１ａが設けられている。この貫通孔１２１ａは、舌片処理部１２３の位置、つまり、舌片処理部１２３を保持する前部ベース１０１ｃの保持部１０８の位置に対応して設けられる。また、貫通孔１２１ａは舌片処理部１２３の突部１２３ｅを回動可能とする大きさに形成される。さらに貫通孔１２１ａは、切込み刃１２４も通過可能な大きさとなっている。この貫通孔１２１ａは、載置面における紙葉類まで舌片処理部１２３および切込み刃１２４をガイドするものである。
【００６６】
また、図２、図５Ａ、図５Ｂおよび図９に示すように、載置台１２１の載置面には、一対の第１ガイド孔１２１ｃが設けられている。この第１ガイド孔１２１ｃは前部ベース１０１ｃにおける第１円筒部１０７に対応する位置に設けられる。この第１ガイド孔１２１ｃは、図５Ａおよび図９に示すように第１円筒部１０７および第２ガイド支柱１２０ｇより大径となるように形成されている。つまり第１ガイド孔１２１ｃは、第２ガイド支柱１２０ｇを挿通させる第１円筒部１０７にガイドされ、前部ベース１０１ｃに対して載置台１２１を上下動するときの位置合わせに利用される。
【００６７】
また、図２、図５Ａおよび図５Ｂに示すように、載置台１２１の載置面の後方には、一対の第２ガイド孔１２１ｅが設けられている。この第２ガイド孔１２１ｅは押さえ部１２０における押さえ部ガイド１２０ｅに対応する位置に設けられる。この第２ガイド孔１２１ｅは、押さえ部ガイド１２０ｅを挿通させ、押さえ部１２０の載置台１２１に対する上下動をガイドするものである。
【００６８】
また、図２および図９に示すように載置台１２１には、第２ガイド孔１２１ｅそれぞれに挟まれた位置に、第２弾性部材１２５の下端部を保持する下保持部１２１ｇが設けられている。
【００６９】
また図６Ａおよび図６Ｂに示すように載置台１２１には、舌片処理部１２３の鉤状部１２３ｇに対応する位置に、隆起部１２１ｆが左右に並べて設けられている。この隆起部１２１ｆはそれぞれ下方に伸びている。このような構成によれば載置台１２１が降下したときに先端が舌片処理部１２３の鉤状部１２３ｇに当接し、鉤状部１２３ｇを押下げる。鉤状部１２３ｇが押下げられると、舌片処理部１２３全体が回動軸１２４ａを中心として回動される。
【００７０】
〈舌片処理部および切込み刃の構成〉
次に図２、図４Ａ，図５Ａ，図６Ａ〜図６Ｄおよび図１１を参照して、舌片処理部１２３の構成、回動方向および保持部１０８に対する接続方向、ならびに切込み刃１２４の構成について説明する。図１１は、この実施形態にかかる紙綴じ具１００によって紙葉類の角を綴着した状態を示す概略図である。
【００７１】
図２および図６Ａに示すように、舌片処理部１２３は、前部ベース１０１ｃに取り付けられる側の下端に回動軸１２４ａを挿通させる回動基部１２３ａが設けられ、上端に紙葉類に穿孔を行うパンチ刃１２３ｃが設けられている。さらに舌片処理部１２３の上端から側方に向かってパンチ刃１２３ｃと一連に形成された突部１２３ｅが設けられている。また、回動基部１２３ａの側方から舌片処理部１２３の高さ方向（上方／図１・Ｘ１参照）と直交する鉤状部１２３ｇが設けられている。なお、「高さ方向」とは、回動基部１２３ａからパンチ刃１２３ｃの先端へ向かう方向を示す。
【００７２】
図２に示すように舌片処理部１２３は、前部ベース１０１ｃの保持部１０８の軸受部１０８ａに回動軸１２４ａを介して支持されている。したがって、舌片処理部１２３は回動軸１２４ａを中心として回動可能である。上述のように押さえ部１２０および載置台１２１に、収容孔１２０ａおよび貫通孔１２１ａが設けられているが、図２および図５Ａに示すように、これらは舌片処理部１２３および切込み刃１２４の紙綴じ具１００の前後方向に対する設置角度および大きさに合わせた形状となっている。すなわち舌片処理部１２３それぞれは、互いに対し所定の角度α（図１１）をつけて保持部１０８に保持されている。言い換えれば、突部１２３ｅそれぞれの突出方向を結ぶ仮想延長線が所定の角度αとなる。
【００７３】
また、パンチ刃１２３ｃに挟まれるようにして、切込み刃１２４が設けられている。この切込み刃１２４は、舌片処理部１２３と同様に保持部１０８によって支持されており、刃部は平板状に形成されている。この刃部は幅方向が突部１２３ｅの突出方向と略直交する方向となっている。さらに図４Ａに示すように切込み刃１２４は舌片処理部１２３の突部１２３ｅを通過可能な係合孔１２４ｃが設けられている。
【００７４】
以上のような構成によれば、パンチ刃１２３ｃが互いに向き合う方向に回動し、各舌片Ｓをそれぞれが折り曲げる。その結果、パンチ刃１２３ｃによって形成された舌片Ｓは、舌片処理部１２３の回動によって、互いに向き合う方向に折り曲げられる（図１１参照）。また切込み刃１２４は、その幅方向において突部１２３ｅの回動方向と略直交する。さらに切込み刃１２４には、舌片処理部１２３の突部１２３ｅを通す係合孔１２４ｃが形成されている。したがって突部１２３ｅが折り曲げた舌片Ｓは係合孔１２４ｃに押し込まれ、さらに切込み刃１２４が下降したとき、舌片Ｓは係合孔１２４ｃに押し込まれたまま紙葉類を通過し、切込みＣに押し込まれる。
【００７５】
ただし、舌片Ｓを切込みＣに押し込む手段として、必ずしも切込み刃１２４、係合孔１２４ｃを用いる方法に限定されない。例えば突部１２３ｅが切込みＣの位置まで回動し、舌片Ｓを切込みＣに押し込む構成であってもよい。また、舌片Ｓを押し込む突部１２３ｅは必ずしもパンチ刃１２３ｃと一体に形成されている必要はなく、別部材として構成することも可能である。
【００７６】
その結果、図１１に示すように切込みＣに押し込まれた舌片Ｓ同士は互いに向き合い、舌片Ｓの突出方向の仮想延長線は正対するかもしくは交差する。さらに上述の通り、この実施形態にかかる舌片処理部１２３の一方が、他方に対して所定の角度αをつけて軸受部１０８ａに取り付けられている。ここで、本実施形態の紙綴じ具１００においては、当該所定の角度αを、およそ９０°から１５０°程度とし、突部１２３ｅそれぞれの突出方向の延長線同士が略「Ｖ字」を形成するように軸受部１０８ａに取り付けられる。このような構成は紙葉類の角を綴るときに好適である。すなわち、綴じられた紙葉類の角の領域に印刷等がされている場合、その印刷部分に舌片Ｓや穿孔された穴が重なってしまうと、当該部分の印刷内容が認識できなくなってしまうおそれがある。この点、角度αが例えば９０°〜１５０°程度であればそのような事態を回避することが可能である。なお角度αとは、図１１に示すように、紙綴じ具１００に対する紙葉類の差込方向へ向かって見た場合の角度である。
【００７７】
このように角度αを定めることにより、綴着が解けやすい捲り方向が生じないようにすることが可能である。舌片Ｓが一方だけしか存在しなければ、切込みＣへの挿入方向と逆の方向に紙葉類を捲る動作がされると舌片Ｓが切込みＣから外れてしまう。また、舌片Ｓが複数あっても、各舌片Ｓが切込みＣそれぞれに対し逆向きに挿入されていれば同様に切込みＣから外れてしまう自体が生じる。しかし、本実施形態の紙綴じ具１００によって綴じられた紙葉類は、その綴着部分において、一方の舌片Ｓにおける切込みＣへの挿入方向の延長線と、他方の舌片Ｓにおける切込みＣへの挿入方向の延長線とが交差する。したがって、一方の舌片Ｓの挿入方向と逆の方向に紙葉類を捲る動作がされた場合でも、その舌片Ｓが切込みＣから外れる動きを他方の舌片Ｓが妨げる。すなわち、一方の舌片Ｓが切込みＣから外れてしまう紙葉類の動きを、切込みＣに押し込まれた他方の舌片Ｓの存在により抑止、または阻止する。したがって、紙葉類間の綴着強度を確保することが可能である。また、舌片Ｓによって、紙葉類間を綴着するので、ステープルや糊材のような綴着材を用いずに複数の紙葉類を綴着させるので、シュレッダーやＡＤＦ（Ａｕｔｏ Ｄｏｃｕｍｅｎｔ Ｆｅｅｄｅｒ）の破損が生じる事態を回避することが可能である。さらに、綴着材の補充が必要なく、継続的に使用したときにも煩雑な綴着材の交換作業を回避することが可能である。
【００７８】
さらに図２、図６Ｃおよび図６Ｄに示すように、舌片処理部１２３は第３弾性部材１２６を介して保持部１０８に取り付けられている。第３弾性部材１２６としては、舌片処理部１２３の回動方向と逆方向に付勢するものが用いられる。舌片処理部１２３が一旦回動されても、第３弾性部材１２６、例えばねじりコイルバネのように変形された後で元の位置に復帰する付勢力を利用して元の位置に復帰するように構成される。
【００７９】
（動作）
次に上記構成による舌片処理部１２３および切込み刃１２４の動作ならびに、押さえ部１２０および載置台１２１の動作について図４Ａ、図４Ｂ、図５Ａ、図５Ｂ、図６Ａ〜図６Ｄ、図７〜１０および図１２〜１５を参照して説明する。図１２は、この実施形態にかかる紙綴じ具１００において、ハンドル１１０の回動後の状態における押さえ部１２０、載置台１２１および前部ベースの位置関係を示す概略斜視図である。図１３Ａは、この実施形態にかかる紙綴じ具１００において、ハンドル１１０が回動した後の押さえ部１２０、載置台１２１および前部ベース１０１ｃの位置関係を示す概略右側面図である。図１３Ｂは、この実施形態にかかる紙綴じ具１００において、ハンドル１１０が回動した後の押さえ部１２０、載置台１２１および前部ベース１０１ｃの位置関係を示す概略上面図である。図１４は、この実施形態にかかる紙綴じ具１００において、ハンドル１１０の回動後の状態における押さえ部１２０、載置台１２１および前部ベース１０１ｃの位置関係の概略を示す図１３ＢのＤ´−Ｄ´断面図である。図１５は、この実施形態にかかる紙綴じ具１００において、ハンドル１１０の回動後の状態における押さえ部１２０、載置台１２１および前部ベース１０１ｃの位置関係の概略を示す図１３ＢのＥ´−Ｅ´断面図である。
【００８０】
〈ハンドル押下前の状態〉
図４Ａに示すようにハンドル１１０が回動される前の状態においては、押さえ部１２０と載置台１２１とは間隔を空けて配置されている。この状態は、図９および図１０に示すように第２弾性部材１２５が載置台１２１の載置面から押さえ部１２０を離すように付勢していることによる。この所定間隔を空けた部分は、紙綴じ具１００によって綴じようとする複数の紙葉類の配置領域となる。また図８Ａに示すように押さえ部１２０および載置台１２１の間における紙葉類配置領域の前方端部が挿入口１０４となる。
【００８１】
〈ハンドル押下開始時の状態〉
図４Ａから図４Ｂに移行する状態、すなわちハンドル１１０が回動され始めると、ハンドル１１０に保持された押圧軸１１２が押さえ部１２０の第２弾性部材１２５の付勢力に抗して、押さえ部１２０の上面を押下げる。押さえ部１２０の係合部１２０ｈは、それぞれ押圧軸１１２の両端を囲うように、押圧軸１１２を内部に挿通させている。さらに係合部１２０ｈは、押圧軸１１２がその内部をスライド可能となるように遊びを有して形成されている。この係合部１２０ｈの構成により、押圧軸１１２は押さえ部１２０を押下げるとき、係合部１２０ｈの内部を略前方へスライドする。これはハンドル１１０の回動にともなって押圧軸１１２が後方（突出端１１０ａ側）へ回動しようとする力の向きを、下方への略直線状の押圧力に変えるための動作である。すなわち、第２ガイド支柱１２０ｇが、前部ベース１０１ｃの第１円筒部１０７側へ、略直線状に降下するので、押さえ部１２０および載置台１２１を押下げる穿孔荷重を効率よく伝えることが可能となる。
【００８２】
また、ハンドル１１０に保持された押圧軸１１２が押さえ部１２０を押下げるときは、押さえ部ガイド１２０ｅが載置台１２１の第２ガイド孔１２１ｅの内部を通過する。すなわち押さえ部１２０は、第２ガイド孔１２１ｅにガイドされて、その全体が載置台１２１の前面へ向かって移動する。
【００８３】
〈載置台押下開始時の状態〉
押さえ部１２０が載置台１２１上の紙葉類の上面（載置面）に到達すると、載置台１２１の上面と押さえ部１２０の下面の前方側とで紙葉類を挟持する。さらに押圧軸１１２が押下げられると、紙葉類が狭持されたまま押さえ部１２０の下面が載置台１２１を押下げ始める。このとき、図９に示すように押さえ部１２０の第２ガイド支柱１２０ｇは、第１ガイド孔１２１ｃに挿通された第１円筒部１０７の内部を通る。したがって、押さえ部１２０および載置台１２１が前部ベース１０１ｃの第１円筒部１０７にガイドされ、下方へ向かって第１弾性部材１０５の付勢力に抗して移動する。
【００８４】
さらに押圧軸１１２は図５Ａおよび図５Ｂに示すように、押さえ部１２０に対し第２ガイド支柱１２０ｇの略直上に設けられている。すなわち、第１弾性部材１０５が設けられた第１円筒部１０７の立設方向から第２ガイド支柱１２０ｇへ向かう方向略延長線上に配置されている。第１弾性部材１０５は、紙葉類の穿孔に最適となる穿孔荷重の調整をサポートするために載置台１２１を上方に付勢している。この第１弾性部材１０５が設けられた第１円筒部１０７の立設方向の真上から押圧軸１１２が押さえ部１２０を押下げる。したがって、さらに押さえ部１２０および載置台１２１を押下げる穿孔荷重を効率よく伝えることが可能となる。
【００８５】
〈穿孔開始時の状態〉
このように載置台１２１が押下げられ始めると、保持部１０８に保持された舌片処理部１２３のパンチ刃１２３ｃと載置台１２１の載置面における紙葉類の下面とが当接する。さらに載置台１２１が押し下げられると、紙葉類の下面に押し当たり、先端のパンチ刃１２３ｃが当該紙葉類に穿孔を行う。また、切込み刃１２４にも押し当たり、紙葉類に対し穿孔された穴より内側に切込みＣを入れる。ここで「内側」とは、紙綴じ具１００の前後方向を結ぶ紙綴じ具１００の中心線側を意味する。
【００８６】
〈紙綴じ処理時の状態〉
穿孔および舌片Ｓおよび切り込みの形成が完了しさらに載置台１２１が降下すると、図１２〜図１５に示すように、押さえ部１２０の第２ガイド支柱１２０ｇの下端が前部ベース１０１ｃの上面（底面）に近接する。このとき舌片処理部１２３の基部側の鉤状部１２３ｇの上面（押さえ部１２０側の面）が載置台１２１の隆起部１２１ｆの先端に当接する。その結果、図６Ｂに示すように舌片処理部１２３が回動する。舌片処理部１２３が回動すると、穿孔によって形成された舌片Ｓが突部１２３ｅによって下方（切込みＣ側）に折り曲げられる。突部１２３ｅが折り曲げた舌片Ｓは係合孔１２４ｃに押し込まれ、さらに切込み刃１２４が下降したとき、舌片Ｓは係合孔１２４ｃに押し込まれたまま紙葉類を通過し、切込みＣに押し込まれる。このようにして複数の紙葉類間における綴着がなされる。
【００８７】
〈紙綴じ処理完了時〜ハンドル解放時の状態〉
図６Ｃおよび図６Ｄに示すように、舌片処理部１２３は第３弾性部材１２６によって、パンチ刃１２３ｃが上方を向く位置に保持されるように付勢されている。舌片処理部１２３が回動され、突部１２３ｅおよび切込み刃１２４の係合孔１２４ｃにより舌片Ｓが切込みＣに押し込まれた後、ハンドル１１０の押し下げが解放されると、第１弾性部材１０５により載置台１２１が上方へ付勢されて上昇する。隆起部１２１ｆにより舌片処理部１２３の鉤状部１２３ｇは下方へ押され第３弾性部材１２６の付勢力に抗して回動されていたが、ハンドルの押下げが解放されたとき、載置台１２１の上昇にともなって、鉤状部１２３ｇが隆起部１２１ｆの押し下げから解放される。さらに舌片処理部１２３は第３弾性部材１２６の付勢力により、元の位置に復帰する。
【００８８】
（その他の構成）
次に、図２、図８Ｂおよび図１６を参照して紙綴じ具１００における付随的な構成部分について説明する。図１６は、この実施形態にかかる紙綴じ具１００における切込み刃１２４と、穿孔によって形成された舌片Ｓとの幅の差を概念的に示す概略図である。
【００８９】
〈ゲージ台〉
図２、図７および図８Ｂを参照して、紙綴じ具１００におけるゲージ台１２１ｊについて説明する。図２および図８Ｂに示すように載置台１２１における上面（載置面）の両側端部には、対となるようにゲージ台１２１ｊが設けられている。ゲージ台１２１ｊ、１２１ｊは、それぞれ当該上面から隆起している。隆起したそれぞれの上面は例えば平面状に形成される。このゲージ台１２１ｊ、１２１ｊは、紙葉類の角部分に綴着箇所を設ける時に好適な部材である。ゲージ台１２１ｊ、１２１ｊは、図２に示すように貫通孔１２１ａ、１２１ａへ、当該紙葉類の角部分が留め置かれるように案内する。すなわち、ゲージ台１２１ｊ、１２１ｊは、貫通孔１２１ａ、１２１ａの交点へ向かって、挿入しようとする紙葉類の角の領域が合致するように形成されている。ユーザーは、紙葉類の角部分に綴着箇所を設ける場合、紙葉類をゲージ台１２１ｊ、１２１ｊの側面に沿って、貫通孔１２１ａ、１２１ａへ差し込むことにより、位置合わせが容易となる。
【００９０】
さらに、ゲージ台１２１ｊ、１２１ｊそれぞれの高さは、載置台１２１上面から押さえ部１２０下面までの高さより低く形成される。したがって、ユーザーがゲージ台１２１ｊ、１２１ｊを利用したくない時は、ユーザーは紙葉類を当該、ゲージ台１２１ｊ、１２１ｊ上に乗るように通す。ゲージ台１２１ｊ、１２１ｊを利用する時は、上記位置合わせを行うことができる。すなわち、このゲージ台１２１ｊ、１２１ｊは、必要な時に応じて位置合わせを行いうる構成であり、ユーザーの要求する使用方法を選択することができるものである。
【００９１】
〈切込み刃の幅〉
図１６に示すように切込みＣの幅と舌片Ｓの幅との関係は例えば次のようになる。ここで説明の便宜上、図１６に示すように、舌片Ｓの幅をａ´ｂ´とし、切込みＣの幅を仮に切込み刃１２４それぞれの幅とし、ｃ´ｄ´とする。まず切込みＣの幅と舌片Ｓの幅の差は、切込みＣに舌片Ｓが押し込まれることから、ｃ´ｄ´＞ａ´ｂ´となる。
【００９２】
ここで、切込みＣに押し込まれた舌片Ｓが移動しないように固定させることによって綴着強度を確保しようとした場合、切込みＣの幅は舌片Ｓの幅とほぼ同じとなる（ｃ´ｄ´−ａ´ｂ´≒0ｍｍ）。しかしながら、綴じられた紙葉類は、閲覧者によって１枚１枚、捲り動作を受けることがある。すなわち、切込みＣの幅を舌片Ｓの幅とほぼ同じとし、幅の差を設けない場合、当該切込みＣの端部が破けてしまうおそれがある。すなわち当該捲り動作によって、切込みＣにおける幅方向端部と舌片Ｓにおける幅方向端部との接点に負担が大きくかかるためである。したがって、当該切込みＣの端部の強度を考慮し、切込みＣの幅と舌片Ｓの幅との差を、例えば２ｍｍ以上とする。つまり、舌片Ｓの幅方向における端部それぞれから、切込みＣの幅方向の端部までの長さを１ｍｍほど空けるように、切込み刃１２４それぞれの幅を形成する。
【００９３】
（作用・効果）
次に、実施形態にかかる紙綴じ具１００の作用・効果について説明する。
【００９４】
本実施形態にかかる紙綴じ具１００は、ハンドル１１０に開口部１１０ｃが設けられている。さらに押さえ部１２０は、全体が透明部材により構成されている。すなわち、当該開口部１１０ｃおよび押さえ部１２０を通じて載置台１２１に載置した紙葉類の上面を視認可能となる。したがって、紙綴じ処理を行う操作者は、穿孔部分を確認してから紙葉類の穿孔を行うことが可能である。その結果、紙葉類の紙綴じ部分の確認が容易となる。さらに紙葉類の印刷部分を避けて紙綴じ処理を行うことができるので、紙葉類の閲覧に支障をきたすおそれを防止することが可能である。また、舌片Ｓによって、紙葉類間を綴着するので、ステープルや糊材のような綴着材を用いずに複数の紙葉類を綴着させることができる。したがって、誤ってシュレッダーやＡＤＦの破損が生じる事態を回避することが可能である。さらに、紙綴じ処理に使用する綴着材が無いので、綴着材の補充作業自体が必要なくなる。したがって、紙綴じ具を継続的に使用したときにも煩雑な綴着材の交換作業を回避することが可能である。
【００９５】
また、本実施形態にかかる紙綴じ具１００は、切込みＣの幅と舌片Ｓの幅との差を、例えば２ｍｍ以上とする。つまり、舌片Ｓの幅方向における端部それぞれから、切込みＣの幅方向の端部までの長さを１ｍｍほど空けるように、切込み刃１２４の幅を形成する。したがって、１枚１枚捲り動作を受けることによって、切込みＣの幅方向端部と舌片Ｓの幅方向端部との接点にかかる負担が小さくなる結果、当該切込みＣ端部が破けてしまうおそれを回避することが可能である。
【００９６】
また、本実施形態にかかる紙綴じ具１００においては、第１段階として、押さえ部１２０により紙葉類の保持を行い、第２段階として、保持された紙葉類に対し、穿孔荷重を調整された状態で、穿孔を行う。結果として、綴じられた紙葉類は、１枚１枚のずれが生じにくいので、整然と仕上げられ、かつ綴着強度が確保される。さらに、図１１に示すように本実施形態の紙綴じ具１００において、舌片Ｓ同士がなす角度αを９０°〜１５０°程度にした場合、紙葉類の角を綴るときに好適である。すなわち、綴じられた紙葉類の角の領域の印刷部分を見づらくしてしまうおそれを回避することが可能である。
【００９７】
実施形態にかかる紙綴じ具１００の押圧軸１１２は、第１弾性部材１０５が設けられた第１円筒部１０７の立設方向から第２ガイド支柱１２０ｇへ向かう方向の略延長線上に配置されている。さらに第１弾性部材１０５は、紙葉類の穿孔に最適となる穿孔荷重の調整をサポートするために載置台１２１を上方に付勢している。この第１弾性部材１０５が設けられた第１円筒部１０７の立設方向の真上から押圧軸１１２が押さえ部１２０を押下げる。したがって、さらに押さえ部１２０および載置台１２１を押下げる穿孔荷重を効率よく伝えることが可能となる。
【００９８】
本実施形態における紙綴じ具１００は、ハンドルフレーム１１０ｅが支持板１０３の間に挟まれているので、ハンドルフレーム１１０ｅは押し下げられても支持板１０３の上端に当接する事態が生じない。すなわち、ハンドルの回動範囲は支持板１０３の高さによって制約を受けない。したがって、舌片処理部１２３の上下動のストローク長を確保しつつ、紙綴じ処理の操作性を確保している。さらにハンドルカバー１１０ｄを設け支持板１０３ごとハンドルフレーム１１０ｅを覆っている。したがって、ハンドル１１０の押下げをしている操作者の手が当該回動軸１１１近傍にある場合でも、作業の妨げとならず、ハンドル１１０の押下げ作業の妨げとなる事態の発生を防止している。
【００９９】
舌片Ｓの挿入が完了した後、ハンドル１１０が戻され、第２弾性部材１２５によって押さえ部１２０が付勢されても、綴着された紙葉類の舌片Ｓの引っかかり等により押さえ部１２０が元の位置に復帰しないことがある。例えば、舌片Ｓの先端部が貫通孔１２１ａや収容孔１２０ａから出てこなくなり、押さえ部１２０が元の位置に復帰しない場合がある。この点、本実施形態の紙綴じ具１００では、ハンドル１１０と押さえ部１２０とが係合部１２０ｈおよび押圧軸１１２を介して連結されている。したがって、押さえ部１２０が元の位置に復帰しない場合でも、ハンドル１１０を手動で元に戻すことが可能である。またその作業は容易である。また押さえ部１２０が元に戻らなくなったとき、ハンドル１１０を上方に回動させ舌片Ｓの先端を貫通孔１２１ａから外してから、収容孔１２０ａに引っかかった舌片Ｓを外すという作業も可能となり、綴じられた紙葉類の破損を防止することも可能となる。
【０１００】
また、本実施形態における紙綴じ具１００は、穿孔を行うことにより舌片Ｓを形成するパンチ刃１２３ｃ、切込みＣを形成する切込み刃１２４、舌片Ｓを係合孔１２４ｃに押し込む突部１２３ｅ等がすべてベース１０１側に配置されている。このような構成によれば、ハンドル１１０側の押さえ部１２０には、最低限、舌片処理部１２３、切込み刃１２４の刃部等を受け入れる収容孔１２０ａを形成すればよい。すなわち、押さえ部１２０の省スペース化が図られている。この省スペース化により、例えば押圧軸１１２と回動軸１１１との距離を近づけることができる。その結果ハンドル１１０への手動力を効率よく伝え、穿孔荷重を低減させることが可能となる。
【０１０１】
また省スペース化により、押さえ部１２０に対して回動軸１１１を前方に配置し、押さえ部１２０上面の高さより、回動軸１１１を低くすることができる。回動軸１１１の高さを低くすることによって支持板１０３の高さを抑制することが可能となる。結果として、紙綴じ具１００全体の大型化を抑制することができる。さらに手持ち型の紙綴じ具１００を手持ち型にする場合においては、ハンドル１１０の突出端１１０ａと後部ベース１０１ａの後端との距離を縮めることができるので、紙綴じ処理の操作性を向上することが可能となる。
【０１０２】
また、本実施形態における紙綴じ具１００は、舌片処理部１２３と切込み刃１２４との刃部（１２３ｃ等）が上方を向いているため、紙葉類の綴着処理が完了した後に、これらの部材を元の位置に復帰させる必要がある。この点、本実施形態における紙綴じ具１００は、舌片処理部１２３が回動されることによって第３弾性部材１２６が変形された後、ハンドル１１０の復帰にしたがって隆起部１２１ｆが鉤状部１２３ｇを解放したとき、自身の弾性により第３弾性部材１２６が回動前の状態に戻ろうとする。この付勢力を利用して、舌片処理部１２３が一旦回動されても、元の位置に復帰させることが可能となる。
【０１０３】
次に、上記実施形態から把握できる技術的思想について以下に追記する。
【０１０４】
（I）前記パンチ刃と前記突部とは一体に形成されており、
前記ハンドルの回動にしたがって前記載置台と前記ベースとが近接すると、前記ベースから立設する前記パンチ刃によって該載置台上に配置された前記紙葉類に穿孔が行われて前記切片が形成され、かつ前記切込み刃によって該穿孔された穴の間に前記各切込みが形成され、
前記切片および前記切込みが形成された後、前記保持部がさらに押し下げられると、該切込み側へ前記突部の先端が回動して、該切片を該切込み方向へ折り曲げること、
を特徴とする請求項１に記載の紙綴じ具。
（II）前記載置台には、前記ベース方向に立設する隆起部が設けられており、
前記突部は前記ベースに回動可能に支持され、
前記切片および前記切込みが形成された後、前記載置台さらに前記ベースに近接すると、前記隆起部が前記突部の一部に押し当たり、該切込み側へ前記突部の先端が回動して、該切片が該切込み方向へ折り曲げられること、
を特徴とする請求項１に記載の紙綴じ具。
（III）前記支柱は円筒状部材であって前記ベースに設けられ、かつ前記挿通部は前記載置台に設けられ、かつ前記押さえ部には該挿通部および該支柱内部に挿通され、かつ該支柱は、押さえ部および載置台のベース方向への移動をガイドすること、
を特徴とする請求項２に記載の紙綴じ具。
（IV）前記載置台上における、前記紙葉類が挿入される側であって該載置台の前記両側方において一対のゲージ台が設けられ、
前記ゲージ台は、前記紙葉類の角部分が前記配置領域における前記パンチ刃の通過箇所へ留め置かれるように案内すること、
を特徴とする請求項１に記載の紙綴じ具。
（V）前記ゲージ台それぞれの高さは、前記基台から前記底面部までの高さより低く形成され、
前記紙葉類が前記ゲージ台の間を通されるときは、前記紙葉類の角部分が前記通過箇所へ留め置かれるように案内され、前記紙葉類が該ゲージ台上に乗るように通されて前記配置領域に挿入されるときは、該紙葉類を該案内しないこと、
を特徴とする上記（IV）に記載の紙綴じ具。
（VI）前記押さえ部は、前記ハンドル側の面において前記押圧軸を内部に挿通させることにより前記ハンドルと連結されており、
前記押圧軸は、前記連結部の内部をスライド可能であること、
を特徴とする請求項２に記載の紙綴じ具。
（VII）前記突部には、前記ハンドルの回動に伴う該突部の回動方向と反対方向へ付勢する付勢手段が設けられていること、
を特徴とする請求項１に記載の紙綴じ具。
（VIII）  重ねられた複数の紙葉類を穿孔することで、一部が前記紙葉類に接続された略舌状の切片を形成しつつ前記切片の近傍に切込みを形成し、かつ、前記切片を前記切込みに押し込んで前記複数の紙葉類を綴じる紙綴じ具であって、
基台と、
前記基台から後方に向けて延設された第１ハンドルと、
前記基台から上方に向けて立設され、上端に刃部が形成された一対のパンチ刃と、
前記基台から上方に向けて立設され、上端に刃部が形成された一対の切り込み刃と、
前記基台から上方に向けて立設された支持部と、
前記支持部の略上端に回動軸を介して接続され、後方に向けて延設され、前記一対のパンチ刃及び前記一対の切込み刃の上方位置並びにその周辺位置に窓部が形成された第２ハンドルと、
前記基台と前記第２ハンドルとの間に前記基台に対して上下方向に移動可能に設けられ、上面における前記一対のパンチ刃及び前記一対の切込み刃のそれぞれの上方位置に貫通孔が形成され、前記上面に前記複数の紙葉類が載置される載置台と、
下面と前記載置台の上面とが対向配置され、前記下面における前記一対のパンチ刃及び前記一対の切込み刃のそれぞれの上方位置に貫通孔が形成され、該上方位置並びにその周辺位置に窓部が形成され、前記載置台に対して上下方向に移動可能に設けられた押さえ部と、
前記切片を前記切込みに挿入するための挿入機構
を備え、
前記ハンドルの回動により前記押さえ部と前記載置台とが近接されることにより前記載置台上の前記紙葉類が挟持され、さらに該押さえ部および該載置台が該紙葉類を挟持したまま該基台側へ移動することにより、前記パンチ刃および前記切込み刃の前記端部それぞれに該紙葉類を押し付けて、前記切片および前記切込みを形成すること、
を特徴とする紙綴じ具。
【０１０５】
なお、上記の技術的思想（VIII）における「第１ハンドル」、「第２ハンドル」とは、紙綴じ具を操作者が手で持って使用する際を想定し、双方をハンドルとして定義したものである。
【符号の説明】
【０１０６】
１００  紙綴じ具
１０１  ベース
１０１ａ  後部ベース
１０１ｃ  前部ベース
１０３  支持板
１０３ａ  軸受部
１０４  挿入口
１０５  第１弾性部材
１０６  第１ガイド支柱
１０７  第１円筒部
１０８  保持部
１０８ａ  軸受部
１１０  ハンドル
１１０ａ  突出端
１１０ｃ  開口部
１１０ｄ  ハンドルカバー
１１０ｅ  ハンドルフレーム
１１０ｆ  回動軸挿通孔
１１０ｇ  押圧軸挿通孔
１１１  回動軸
１１２  押圧軸
１２０  押さえ部
１２０ａ  収容孔
１２０ｃ  目視孔
１２０ｅ  押さえ部ガイド
１２０ｇ  第２ガイド支柱
１２０ｈ  係合部
１２０ｊ  上保持部
１２１  載置台
１２１ａ  貫通孔
１２１ｃ  第１ガイド孔
１２１ｅ  第２ガイド孔
１２１ｆ  隆起部
１２１ｇ  下保持部
１２１ｊ  ゲージ台
１２３  舌片処理部
１２３ａ  回動基部
１２３ｃパンチ刃
１２３ｅ  突部
１２３ｇ  鉤状部
１２４  切込み刃
１２４ａ  回動軸
１２４ｃ  係合孔
１２５  第２弾性部材
１２６  第３弾性部材
Ｓ  舌片
Ｃ  切込み
【図１Ａ】
2011093016.tif 000003
【図１Ｂ】
2011093016.tif 000004
【図２】
2011093016.tif 000005
【図３Ａ】
2011093016.tif 000006
【図３Ｂ】
2011093016.tif 000007
【図４Ａ】
2011093016.tif 000008
【図４Ｂ】
2011093016.tif 000009
【図５Ａ】
2011093016.tif 000010
【図５Ｂ】
2011093016.tif 000011
【図６Ａ】
2011093016.tif 000012
【図６Ｂ】
2011093016.tif 000013
【図６Ｃ】
2011093016.tif 000014
【図６Ｄ】
2011093016.tif 000015
【図７】
2011093016.tif 000016
【図８Ａ】
2011093016.tif 000017
【図８Ｂ】
2011093016.tif 000018
【図９】
2011093016.tif 000019
【図１０】
2011093016.tif 000020
【図１１】
2011093016.tif 000021
【図１２】
2011093016.tif 000022
【図１３Ａ】
2011093016.tif 000023
【図１３Ｂ】
2011093016.tif 000024
【図１４】
2011093016.tif 000025
【図１５】
2011093016.tif 000026
【図１６】
2011093016.tif 000027
【国際調査報告】
2011093016.tif 000028
2011093016.tif 000029
2011093016.tif 000030
2011093016.tif 000031